(57)【要約】端末がサポートする多様な複数のアクセス技術によって用いられる帯域幅全体をカバーするのに充分広い帯域幅を通じて動作可能なフロントエンドレシーバとアナログフィルタ（ＡＦ）とを備えた端末を含む装置、およびその装置によって実行される方法。端末は、１つのフロントエンドレシーバおよびＡＦの出力から、多様なアクセス技術のキャリア周波数と帯域幅とを同時に抽出するように動作する。これによって、セル評価動作および進行中の通信セッションが、多様なアクセス技術を使って多様な帯域幅に関してアナログフィルタの帯域幅の範囲内で、かつ、通信セッションを中断することなく、同時に行われることが可能になる。
2009532962.tif 000002
【特許請求の範囲】
【請求項１】
調整可能なフロントエンドレシーバと、
前記フロントエンドレシーバに結合された調整可能なアナログフィルタ（ＡＦ）と、
前記アナログフィルタに結合されたアナログデジタル変換器（ＡＤＣ）と、
前記アナログデジタル変換器（ＡＤＣ）からデジタル信号を受信する複数の抽出主ニットと、
複数の評価ユニットと、
複数の検出ユニットと、
スイッチユニットを制御することで、前記複数の評価ユニットと前記複数の検出ユニットとのうちの少なくとも１つから受信した信号に基づいて、前記複数の抽出ユニットのうちの少なくとも１つの周波数と帯域幅とを固定する第１の制御ユニットと
を備えることを特徴とする装置。
【請求項２】
前記フロントエンドレシーバ及び前記アナログフィルタは、該フロントエンドレシーバが同調することになる第１の搬送波周波数を含む第１の周波数帯域幅の全体にわたって周波数信号を受信するように構成されており、
前記アナログデジタル変換器は、前記フロントエンドレシーバ及び前記アナログフィルタによって生成されたアナログ信号を第１の周波数帯域幅のデジタル信号に変換するように構成されており、
前記複数の抽出ユニットのそれぞれは、前記第１のデジタル信号から前記第１の周波数帯域幅と同一かまたはそれよりも狭い周波数帯域幅の第２のデジタル信号を抽出するように構成されており、
前記第２のデジタル信号は、前記複数の無線通信システムのうちの少なくとも１つで実行されている通信に関連付けられている
ことを特徴とする請求項１に記載の装置。
【請求項３】
前記複数の検出ユニットのそれぞれは、前記複数の無線通信システムにおけるいずれかの通信セッションをサポートするように構成されており、
前記複数の評価ユニットのそれぞれは、前記検出ユニットが前記通信セッションをサポートしている間、前記複数の無線通信システムのうちの少なくとも１つの通信に関連付けられた他の複数の周波数帯域幅について動作する
ことを特徴とする請求項２に記載の装置。
【請求項４】
前記複数の抽出ユニットは、前記第１の周波数帯域幅内にある周波数帯域幅内のデジタル信号を抽出するように構成されており、
前記他の複数の周波数帯域幅は、前記複数の無線通信システムのうちの少なくとも１つの通信に関連付けられている
ことを特徴とする請求項３に記載の装置。
【請求項５】
第１の抽出ユニットは、前記複数の無線通信システムの１つにおける通信セッションをサポートする、前記複数の検出ユニットうちの少なくとも１つと切り替え可能に結合されており、
第２の抽出ユニットは、ハンドオーバの候補となる少なくとも１つの信号を評価する前記複数の評価ユニットのうちの１つと切り替え可能に結合されている
ことを特徴とする請求項４に記載の装置。
【請求項６】
前記第１の制御ユニットは、前記第１の周波数帯域幅と前記第１の搬送波周波数とのいずれか一方を調整するように構成されている
ことを特徴とする請求項２に記載の装置。
【請求項７】
前記第１の制御ユニットは、複数の前記第２のデジタル信号の１つに関連付けられた通信品質に基づいて、前記フロントエンドレシーバの調整を制御する
ことを特徴とする請求項６に記載の装置。
【請求項８】
前記第１の制御ユニットは、第１のイベントまたは第２のイベントのいずれか一方が発生するまで、前記フロントエンドレシーバと前記アナログフィルタとの少なくとも一方に信号を伝達することで、前記第１の周波数帯域幅を拡張し、
前記第１のイベントは、前記通信品質が所定の品質値に到達したことであり、
前記第２のイベントは、前記第１の周波数帯域幅が所定の帯域幅に到達したことである
ことを特徴とする請求項７に記載の装置。
【請求項９】
前記第１の制御ユニットは、第１のイベントまたは第２のイベントのいずれか一方が発生するまで、前記フロントエンドレシーバと前記アナログフィルタとの少なくとも一方に信号を伝達することで、前記搬送波周波数を変更し、
前記第１のイベントは、前記通信品質が所定の品質値に到達したことであり、
前記第２のイベントは、前記搬送波周波数が所定の周波数に到達したことである
ことを特徴とする請求項７に記載の装置。
【請求項１０】
前記第１の制御ユニットは、前記第１の周波数帯域幅と前記第１の搬送波周波数との双方を調整するように構成されている
ことを特徴とする請求項２に記載の装置。
【請求項１１】
前記装置は、移動無線通信システムにおいて使用される装置である
ことを特徴とする請求項２に記載の装置。
【請求項１２】
前記複数の抽出ユニットのそれぞれは、ＷＣＤＭＡシステム、ＧＳＭシステム、および、ＯＦＤＭをベースとしたシステムのうちいずれかから信号を受信するように構成されている
ことを特徴とする請求項２に記載の装置。
【請求項１３】
前記アナログデジタル変換器に結合され、該アナログデジタル変換器から出力されたデジタル信号を記憶するように構成されたデジタルデータ記憶ユニットをさらに含む
ことを特徴とする請求項１に記載の装置。
【請求項１４】
（ａ）前記第１のユニットと、（ｂ）前記フロントエンドレシーバ及び前記アナログフィルタとの間に結合された第２の制御ユニットをさらに備え、
前記第２の制御ユニットは、
（ｘ）前記第２の制御ユニットからの制御情報に応答して、前記フロントエンドレシーバを調整することで、前記帯域幅の中心周波数を調整するか、または、
（ｙ）前記第２の制御ユニットからの制御情報に応答して、前記アナログフィルタを調整することで、前記帯域幅のサイズを調整する
ことを特徴とする請求項１に記載の装置。
【請求項１５】
複数の無線通信システムにおいて動作する通信装置であって、
フロントエンドレシーバ及びアナログフィルタ（ＡＦ）であって、該フロントエンドレシーバが同調することになる第１の搬送波周波数を含む第１の周波数帯域幅の全体にわたって周波数信号を受信するフロントエンドレシーバ及びアナログフィルタ（ＡＦ）と、
前記フロントエンドレシーバに結合され、前記フロントエンドレシーバ及び前記アナログフィルタによって生成されたアナログ信号を第１の周波数帯域幅の第１のデジタル信号に変換するアナログデジタル変換器（ＡＤＣ）と、
前記アナログデジタル変換器に結合され、第２の搬送波周波数を含むとともに前記第１の周波数帯域幅と同一かまたはそれよりも狭い第２の周波数帯域幅に対応した第２のデジタル信号を前記第１のデジタル信号から抽出する第１の抽出ユニットと、
前記アナログデジタル変換器に結合され、前記第１の抽出ユニットが前記第２のデジタル信号を抽出するのと並行して、第３の搬送波周波数を含むとともに前記第１の周波数帯域幅と同一かまたはそれよりも狭い第３の周波数帯域幅に対応した第３のデジタル信号を前記第１のデジタル信号から抽出する第２の抽出ユニットと
を備え、
前記第２の周波数帯域幅及び前記第２の搬送波周波数は、前記複数の無線通信システムのうちの１つの無線通信システムにおける通信に関連付けられおり、前記第３の周波数帯域幅及び前記第３の搬送波周波数は、前記複数の無線通信システムのうちの１つの無線通信システムにおける通信に関連付けられていることを特徴とする通信装置。
【請求項１６】
前記アナログデジタル変換器に結合され、前記第１のデジタル信号を記憶する記憶ユニットをさらに備え、
前記第１の抽出ユニット及び前記第２抽出ユニットは、前記フロントエンドレシーバが待機状態にあるときに、前記記憶ユニットから前記第１のデジタル信号を受信する
ことを特徴とする請求項１５に記載の通信装置。
【請求項１７】
前記第１の抽出ユニット及び前記第２抽出ユニットへ切り替え可能に結合され、前記フロントエンドレシーバが待機状態にあるときに、ハンドオーバ候補としての信号を並行して評価する第１の評価ユニット及び第２の評価ユニットと、
前記第１の抽出ユニット及び前記第２抽出ユニットへ切り替え可能に結合され、前記フロントエンドレシーバが動作状態にあるときに、前記複数の無線通信システムのうちちの１つに対し通信セッションをサポートする第１の検出ユニット及び第２の検出ユニットと
をさらに備えることを特徴とする請求項１６に記載の通信装置。
【請求項１８】
スイッチユニットを制御することで、複数の抽出ユニットの少なくとも１つを、複数の評価ユニットの少なくとも１つと複数の検出ユニットとの少なくとも１つへ切り替え可能に結合する第１の制御ユニット
をさらに備え、
前記複数の検出ユニットのうち前記複数の抽出ユニットの少なくとも１つへ結合された検出ユニットは、前記フロントエンドレシーバ及びアナログフィルタが動作状態にある間、前記複数の無線通信システムのうちの１つに対し通信セッションをサポートするように動作し、
前記複数の評価ユニットのうち前記複数の抽出ユニットの少なくとも１つへ結合された評価ユニットは、前記フロントエンドレシーバ及びアナログフィルタが動作状態にあり、かつ、前記検出ユニットが前記通信セッションをサポートしている間、ハンドオーバ候補としての他の信号を評価する
ことを特徴とする請求項１７に記載の通信装置。
【請求項１９】
前記フロントエンドレシーバ及びアナログフィルタを制御する第２の制御ユニットをさらに備え、
前記フロントエンドレシーバ及びアナログフィルタは前記第２の制御ユニットからの信号に応答して、前記第１の周波数帯域幅及び前記第１の搬送波周波数の一方を調整する
ことを特徴とする請求項１８に記載の通信装置。
【請求項２０】
前記第２の制御ユニットは、前記第２の搬送波周波数と前記第３の搬送波周波数とのいずれかと関連付けられた通信品質に基づいて、前記フロントエンドレシーバ及びアナログフィルタによる調整を制御する
ことを特徴とする請求項１９に記載の通信装置。
【請求項２１】
前記複数の抽出ユニットのそれぞれは、ＷＣＤＭＡシステム、ＧＳＭシステム、および、ＯＦＤＭをベースとしたシステムのうちいずれかから信号を受信するように構成されている
ことを特徴とする請求項１５に記載の通信装置。
【請求項２２】
複数の無線通信システムにおいて実行される方法であって、
第１の搬送波周波数を含む第１の周波数帯域幅の全体にわたって周波数信号を受信する受信ステップと、
前記受信ステップにおいて生成されたアナログ信号を、第１の周波数帯域幅に対応した第１のデジタル信号に変換する変換ステップと、
第２の搬送波周波数を含むとともに前記第１の周波数帯域幅と同一かまたはそれよりも狭い第２の周波数帯域幅に対応した第２のデジタル信号を、前記第１のデジタル信号から抽出する抽出ステップと、
前記抽出ステップと並行して、搬送波周波数を含むとともに前記第１の周波数帯域幅と同一かまたはそれよりも狭い周波数帯域幅に対応した少なくとも１つの他の第２のデジタル信号を前記第１のデジタル信号から抽出するステップと
を備え、
前記第２の周波数帯域幅及び前記第２の搬送波周波数は、前記複数の無線通信システムのうちの第１の無線通信システムに関連付けられおり、
前記第１の周波数帯域幅と同一かまたはそれよりも狭い周波数帯域幅及びそれ対応した前記搬送波周波数は、前記第２のデジタル信号を使用している無線通信システムと類似または異なる無線通信システムにおける通信に関連付けられていることを特徴とする方法。
【請求項２３】
前記第１のデジタル信号を記憶する記憶ステップをさらに備え、
前記抽出ステップ及び前記抽出するステップは、
前記受信ステップが完了した後は、前記記憶ステップにおいて記憶された前記第１のデジタル信号から、前記第２のデジタル信号と前記少なくとも１つの他の第２のデジタル信号を抽出するステップを含む
ことを特徴とする請求項２２に記載の方法。
【請求項２４】
前記受信ステップは、
前記第２のデジタル信号と前記少なくとも１つの他の第２のデジタル信号との１つに関連付けられた通信品質に基づいて、前記第１の周波数帯域幅と前記第１の搬送波周波数との一方を調整する調整ステップを含む
ことを特徴とする請求項２２に記載の方法。
【請求項２５】
前記受信ステップは、
前記第２のデジタル信号と前記少なくとも１つの他の第２のデジタル信号との１つに関連付けられた通信品質に基づいて、前記第１の周波数帯域幅と前記第１の搬送波周波数との一方を調整する調整ステップを含む
ことを特徴とする請求項２２に記載の方法。
【請求項２６】
前記調整ステップは、ハンドオーバが発生したときはいつでも実行され、かつ、周期的なグループから１つが発生した時点においても実行される
ことを特徴とする請求項２２に記載の方法。
【請求項２７】
複数の無線通信システムにおいて実行される方法であって、
第１の搬送波周波数を含む第１の周波数帯域幅の全体にわたって周波数信号を受信する受信ステップと、
前記受信ステップにおいて生成されたアナログ信号を、第１の周波数帯域幅に対応した第１のデジタル信号に変換する変換ステップと、
第２の搬送波周波数を含むとともに前記第１の周波数帯域幅内にある第２の周波数帯域幅に対応した第２のデジタル信号を、前記第１のデジタル信号から抽出する抽出ステップと、
前記抽出ステップと並行して、第３の搬送波周波数を含むとともに前記第１の周波数帯域幅内にある第３の周波数帯域幅に対応した第３のデジタル信号を前記第１のデジタル信号から抽出するステップと
を備え、
前記第２の周波数帯域幅及び前記第２の搬送波周波数は、前記複数の無線通信システムのうちの１つの無線通信システムにおける通信に関連付けられおり、前記第３の周波数帯域幅及び前記第３の搬送波周波数は、前記複数の無線通信システムのうちの他の１つの無線通信システムにおける通信に関連付けられている
ことを特徴とする方法。
【請求項２８】
前記第１のデジタル信号を記憶する記憶ステップをさらに備え、
前記第２のデジタル信号を抽出する抽出ステップと前記第３のデジタル信号を抽出するステップは、
前記受信ステップが完了した後は、前記記憶ステップにおいて記憶された前記第１のデジタル信号から、前記第２のデジタル信号及び前記第３のデジタル信号を抽出するステップを含む
ことを特徴とする請求項２７に記載の方法。
【請求項２９】
前記受信ステップは、
前記第２の搬送波周波数と前記第３の搬送波周波数とのいずれかに関連付けられた通信品質に基づいて、前記第１の周波数帯域幅と前記第１の搬送波周波数との一方を調整する調整ステップを含む
ことを特徴とする請求項２７に記載の方法。
【請求項３０】
前記受信ステップは、
前記第２の搬送波周波数と前記第３の搬送波周波数とのいずれかに関連付けられた通信品質に基づいて、前記第１の周波数帯域幅と前記第１の搬送波周波数との一方を調整する調整ステップを含む
ことを特徴とする請求項２７に記載の方法。
【請求項３１】
前記調整ステップは、ハンドオーバが発生したときはいつでも実行され、かつ、周期的なグループから１つが発生した時点においても実行される
ことを特徴とする請求項２７に記載の方法。
【発明の詳細な説明】
【技術分野】
【０００１】
本発明は、一般に通信システムに関し、詳細には、少なくとも１つの通信システムにおけるインター無線アクセス技術（ＲＡＴ）動作に関する。
【背景技術】
【０００２】
例えばＧＳＭやＷＣＤＭＡのようなセルラー標準規格における来るべき進化において、例えば直交周波数分割多重（ＯＦＤＭ）のような、別の変調技術の利用が予想できる。スーパー３ＧまたはＳ３Ｇと呼ばれる１つの提案は、３Ｇ  ＷＣＤＭＡ標準の進化であると考えられる。スーパー３Ｇは、変調技術としてＯＦＤＭを用いる可能性が高いと考えられており、１．２５ＭＨｚから２０ＭＨｚまでにわたる帯域幅で動作し、最大で１００メガビット／秒（Ｍｂ／ｓ）のデータ速度が見込まれるであろう。従って、既存の無線スペクトルの範囲内で「旧式の」セルラーシステムから新しい大容量かつ高速のデータ速度のセルラーシステムへ円滑に移行するには、ユーザ装置が、フレキシブルな帯域幅上で動作できることが必要であろう。
【０００３】
セルラー標準規格の進化は、このように、端末の設計に新たな難問をもたらすであろう。また、データ速度の高速化をサポートする必要性に加えて、帯域幅の可変性が、受信機および送信機に新たな必要条件を課す。さらに、同じ無線スペクトルの範囲内に多様なアクセス技術が混在することによって、複数のＲＡＴ間の動作に新たな必要条件、すなわち、多様なアクセス技術を用いる動作を含めて、どのようにして端末がハンドオーバ（ＨＯ）およびセル間のセル探索を処理するか、という条件が新たに加わることになる。
【発明の開示】
【発明が解決しようとする課題】
【０００４】
通常、ＲＡＴ間動作は、受信機を特定のセルラーシステムの帯域幅およびＨＯ／セル探索パラメータに適合させるステップと、そのセルラーシステムのアクセス技術を用いてセル探索や測定等を行うステップと、受信機を他方のセルラーシステムの別のアクセス技術に適合させるステップと、そして、その別のアクセス技術を用いてセル探索や測定等を行うステップとを含む。第１のアクセス技術によってサポートされる進行中の通信セッション、例えば通話呼またはデータ呼の間に、収容能力（キャパシティ）やカバー範囲（カバレッジ）の理由で、第２のアクセス技術を用いる他のセルへのハンドオーバが必要となった場合には、進行中の通信セッションは、第２のアクセス技術上でのセル探索／測定を可能にすることを目的として中断される。ＷＣＤＭＡシステムでは、これを圧縮モードと呼び、この場合、進行中のＷＣＤＭＡ通信セッションは、端末がＧＳＭ上で測定できるようにするため、中断される。進行中の通信セッションが中断されると、スループットが減少し、そして、例えばＷＣＤＭＡ圧縮モードのようなソリューションでは、キャパシティも減少する。このようなスループットとキャパシティの減少は、システムの観点から見て不利である。
【０００５】
進行中の通信セッションの中断は、複数のアンテナと複数のフロントエンドレシーバ等を含めて複数の受信機ブランチを端末が備えている場合には、回避できる。これによって、進行中の通信セッションは、第１のアクセス技術に適合された１つの受信機上で継続することができ、他方、セル探索／測定は、第２のアクセス技術に適合された他方の受信機を用いて同時に行われる。この受信機を２つ用いる手法は、端末の観点から見て高価である。
【０００６】
スーパー３Ｇにおいて、ＲＡＴ間動作の複雑性は、ＷＣＤＭＡ／ＧＳＭでのＲＡＴ間動作と比べてさらに増加すると予想されるが、それは、異なる帯域幅を持つ同一のまたは隣接するキャリア周波数上でＷＣＤＭＡ／ＧＳＭへハンドオーバする可能性があるからである。
【０００７】
従って、従来のソリューションより効率の良いＲＡＴ間動作を提供することが望ましい。
【課題を解決するための手段】
【０００８】
本発明は、少なくとも１つの通信システムにおいて、ＲＡＴ間動作を円滑化するように構成された装置および方法である。本発明の装置は、調節可能なフロントエンドレシーバを含んでおり、そのフロントエンドレシーバは、そのフロントエンドレシーバに結合された調節可能なＡＦ（アナログフィルタ）を有する。また、ＡＦに結合されたＡＤＣ（アナログデジタル変換器）と、ＡＤＣからデジタル信号を受信するように構成された複数の抽出ユニットとが、含まれる。複数の抽出ユニットには、複数の評価ユニットと複数の検出ユニットとが結合されており、第１の制御ユニットが、交換装置を制御して、複数の評価ユニットと検出ユニットとのうち少なくとも１つから受信した信号に基づいて、複数の抽出ユニットのうち少なくとも１つの周波数と帯域幅とを固定する。本発明の方法は、第１のキャリア周波数を含む第１の周波数帯域幅の全体にわたって周波数シグナリングを受信するステップと、受信ステップで生成されたアナログ信号を、第１の周波数帯域幅に対応する第１のデジタル信号に変換するステップと、を含む。次のステップは、第１の周波数帯域幅と同じかまたはその範囲内にあって、かつ二次的なキャリア周波数を含むような二次的なデジタル信号を、前記第１のデジタル信号から抽出するステップであって、前記二次的な周波数帯域幅と前記二次的なキャリア周波数とは、複数の無線通信システムのうち第１のものにおける通信に関連する。二次的なデジタル信号を抽出するステップを行う一方で、次のステップは、ここでもやはり第１の周波数帯域幅と同じかまたはその範囲内にあって、かつキャリア周波数をも含むような周波数帯域幅に対応する少なくとも１つの追加的な二次的なデジタル信号を前記第１のデジタル信号から抽出するステップであり、前記少なくとも１つの追加的な二次的な周波数帯域幅とその対応するキャリア周波数とは、前記二次的なデジタル信号を使用したものと同様かまたはそれとは異なる通信システムにおける通信に関連する。
【発明を実施するための最良の形態】
【０００９】
本発明の実施形態は、端末によってサポートされるアクセス技術によって用いられる帯域幅全体をカバーするのに十分広い帯域幅全体にわたって動作可能なフロントエンドレシーバを、端末に提供する。例えば、スーバー３Ｇ（Ｓ３Ｇ）の場合には、フロントエンドレシーバは、ＯＦＤＭ信号が用いる２０ＭＨｚの帯域幅全体にわたって動作可能であろうし、従って、ＧＳＭ（２００ｋＨｚ）およびＷＣＤＭＡ（５ＭＨｚ）の帯域幅よりも広い帯域幅を受信することができよう。このようにして、進行中の通信セッションを、中断することなく、別のアクセス技術で同時にサポートしながら、１つのアクセス技術に関するＨＯ測定とセル探索とをわずか１つのフロントエンドレシーバを使って行うことが、本発明によって可能になる。また、ＨＯ測定とセル探索とを別のアクセス技術で別のキャリア周波数で同時に行うことも可能であり、それによって探索時間が短縮できる。
【００１０】
図１Ａは、本発明の実施形態による端末装置１を図式的に図解した図である。図１Ａの端末において、フロントエンドレシーバ（ＲＸ）２Ａは、第１のキャリア周波数ｆ０に同調してアナログフィルタ（ＡＦ）２Ｂを介してフィルタにかけられうる、帯域幅ＢＷ０（例えば２０ＭＨｚ）の信号を受信することができる。従って、例えば、間隔ｆ０＋／−ＢＷ０／２の周波数は、フロントエンドレシーバ２ＡおよびＡＦ  ２Ｂによって不要な信号と区別されることができる。一部の実施形態、例えば図４および６に記述した実施形態において、所望のキャリア周波数および帯域幅、例えばｆ０およびＢＷ０は調節可能であり、入力３Ａおよび３Ｂで指定されてもよい。
【００１１】
図１Ａの端末は、キャリア周波数ｆＡと帯域幅ＢＷＡとを用いて通信システムＡ（明示せず）と通信することができ、キャリア周波数ｆＡと帯域幅ＢＷＡとは、図２に示すように、フロントエンドレシーバ２ＡおよびＡＦ  ２Ｂの前述の動作帯域幅に含まれる。図２の例は、一般的に例示することだけを目的として提供されており、必ずしも一定の比例に拡大して描かれてはいない。フロントエンドレシーバ２ＡおよびＡＦ  ２Ｂにおいて、キャリア周波数ｆ０で帯域幅ＢＷ０を有する入力信号は、アナログベースバンド信号へとダウンコンバートされ、次いで、それが、ＡＤコンバータ（ＡＤＣ）４によってアナログからデジタル形式へと変換される。結果として得られるデジタル信号は、信号を抽出するように構成されたユニットである抽出ユニット５および６へ送られる。２つの抽出ユニットの利用法を図に図解するが、本発明は、処理することになる信号の数と同数の抽出ユニットおよび対応するモジュールを包含する。抽出ユニット５は、周波数ｆＡを用いてデジタル信号をデジタルベースバンド信号へダウンコンバートし、また、帯域幅ＢＷＡのローパスフィルタを実装する。所望の周波数キャリアと帯域幅とを抽出するためにこのようなデジタル処理動作を利用することは、当技術分野ではよく知られている。
【００１２】
抽出ユニット５によって抽出された信号は、制御ユニット１０によって制御される交換装置７によって、通信システムＡによって用いられるアクセス技術に適合された複数のＡＴ１−ＡＴｍ検出ユニット８のうちの１つへルーティングされる。例えば、通信システムＡがアクセス技術ＡＴ１（例えば、ＧＳＭ、ＷＣＤＭＡ、ＯＦＤＭを利用するシステム）を用いる場合には、（アクセス技術ＡＴ１に適合された）ＡＴ１検出ユニットが、交換装置７によって選択され、そして、通信システムＡがアクセス技術ＡＴｍを用いる場合には、（アクセス技術ＡＴｍに適合された）ＡＴｍ検出ユニットが、交換装置７によって選択される。一部の実施形態において、図解された検出ユニット８の各々は、当技術分野でよく知られた技術に従って信号の検出を行うことができる。図１Ｂは、図１Ａの前述のＡＴ１乃至ＡＴｍ検出ユニット８を、さらに詳細に図式的に図解する。図１Ｂは、Ｓ３ＧおよびＷＣＤＭＡ信号用の一組の検出ユニットを示す。ここで留意すべきだが、本発明は、いかなるタイプの信号について最適化された検出ユニットであろうと、それらをいくつでも包含する。
【００１３】
選択された検出ユニット８によって検出された信号は、第１の制御ユニット１０に提供され、第１の制御ユニット１０は、検出された信号に含まれる情報を、図１Ａおよび１Ｂに示すように１１で次の処理を行うために転送する。図１Ａを振り返ってみると、第１の制御ユニット１０は、一般的に１２で表された制御出力をも有し、その制御出力は、抽出ユニット５および６のための制御情報と交換装置７の動作を制御するためのパス選択情報とを提供するのに用いられる。図３Ｂを簡単に参照すると、制御出力１２は、例えば抽出ユニット５のためのキャリア周波数ｆＡおよび帯域幅ＢＷＡのような制御情報を提供するのに用いられる制御出力１２Ａと、例えば抽出ユニット６のためのキャリア周波数ｆＢおよび帯域幅ＢＷＢのような制御情報および交換装置７の動作を制御するためのパス選択情報を提供するのに用いられる制御出力１２Ｂとに、さらに細分化される。図１Ａおよび１Ｂを振り返ってみると、第１の制御ユニット１０はまた、隣接セルによってどのキャリア周波数、帯域幅、およびアクセス技術が利用されているのかを知るため、（選択された検出ユニットによって生成される信号の中で通常は利用可能な）隣接リスト情報を用いる。
【００１４】
この隣接セル情報を用いて、第１の制御ユニット１０は制御出力１２を利用して抽出ユニット５と交換装置７とを制御することができ、それによって隣接セルの所望の評価が生成される。例えば、第１の制御ユニット１０は、抽出ユニット６に関して上述したのと同じ動作を一般に行うが、別のキャリア周波数ｆＢおよび別の帯域幅ＢＷＢを用いるように、抽出ユニット５に指示してもよい（図２も参照のこと）。図１Ａおよび１Ｂを参照すると、第１の制御ユニット１０はまた、抽出ユニット５の出力を、評価されることになるセルによって用いられるアクセス技術（例えばＧＳＭ、ＷＣＤＭＡ、ＯＦＤＭを利用するシステム）に関連する複数のＡＴ１−ＡＴｎ評価ユニット９のうちの１つにルーティングするように交換装置７に適切に指示する。ＡＴ１−ＡＴｍ検出ユニットと同数のＡＴ１−ＡＴｎ評価ユニットがあることもあれば、数は（多少）異なる場合もある。例えば、セルがアクセス技術ＡＴ１を用いる場合には、ＡＴ１評価ユニットが選択され、そして、セルがアクセス技術ＡＴｎを用いる場合には、ＡＴｎ評価ユニットが選択される。図１Ｂは、前述の図１ＡのＡＴ１−ＡＴｎ評価ユニット９を、さらに詳細に図式的に図解する図である。その中で示すように、アクセス技術のタイプに応じて一定の動作が行われる。Ｓ３Ｇ信号については、検出器８Ａが、チャネル推定を行って、その信号対干渉比（ＳＩＲ）を判断し（当技術分野ではよく知られた技術）、マッチトフィルタ（ＭＦ）を通じて信号をフィルタにかけ、次いで、信号を復号する。同じ動作が、ブロック８ＢにおいてＷＣＤＭＡ信号に関して行われる。また、Ｓ３ＧおよびＷＣＤＭＡ信号について、評価器９が、セル探索を行って、別個のモジュールにおけるＳＩＲを判断する。図１Ｂは、Ｓ３ＧおよびＷＣＤＭＡ信号についての一組の評価ユニットを示しているけれども、本発明は、いかなるタイプの信号について最適化された検出ユニットであろうと、それらをいくつでも包含する。
【００１５】
一部の実施形態において、評価ユニット９の各々は、当技術分野でよく知られている技術に従って、例えばＨＯ測定やセル探索などの動作を行うことができる。このようにして、端末は、前述のセルＡとの間で進行中の通信セッションを同時にサポートしながら（すなわち上記のように抽出ユニット５を用いて）、セルＡが用いるアクセス技術とは異なるアクセス技術を用いる隣接セルにおける通信システムに関してＨＯ測定、セル探索等の動作を行うことができる。セルＡとの間で進行中の通信セッションが中断される必要はない。評価ユニットからの評価結果は、第１の制御ユニット１０に提供されて、そこで処理されてもよいし、次の処理のために１１で転送されてもよい。新たなセルがｆＡ上で現行のセルより強くなった場合には、従来の手順に従ってハンドオーバが実行されてもよい。その新規セルがセルＡのアクセス技術とは異なるアクセス技術を用いる場合には、このハンドオーバはＲＡＴ間ハンドオーバということになる。
【００１６】
図３Ａは、本発明の実施形態によって、端末がスタンバイモードである間に効率的にセル評価を実行することができるような端末を図式的に図解した図である。スタンバイモードでは、端末は「オン」であるが使用されておらず、従って、低電力消費であることが重要である。典型的には、スタンバイモードの従来型端末は、周期的に（例えば１秒間に一度）「起動（ウエイクアップ）して」自分のフロントエンドレシーバの電源を入れ、その端末に関するメッセージがあるかどうか判断する目的でページングメッセージを受信して読み、そして、留まるべき一層強力なセルが存在するかどうか判断する目的でセル測定動作を行うであろう。
【００１７】
図３Ａの端末は、図１Ａの端末と類似しているが、ＡＤＣ４の出力に結合されたデジタルデータ記憶を含む。ページングメッセージを受信してセル測定を行う目的で端末が「ウエイクアップする」度に、ＡＤＣ４からのデジタルシグナリング出力が、記憶ユニット３１に記憶される。第１の制御ユニット１０は、自分の制御出力１２Ａを用いて所望のページング検出（例えばキャリア周波数ｆＡおよび帯域幅ＢＷＡ上での検出）を、抽出ユニット５と適切な検出ユニットとを介して、いかなる他の通信セッションとも一般的に同様のかたちで、達成することができる。フロントエンドレシーバ２Ａ（ＡＦ  ２Ｂも含めて）が、「ウエイクアップ」期間の終了時に電源をオフにされると、記憶されたデジタル信号が再生されてもよく、そして、キャリア周波数、帯域幅、アクセス技術のいかなる所望の組み合わせについても、アナログフィルタの帯域幅の範囲内で上記のようなセル評価動作が行われてよい。従って、フロントエンドレシーバ２ＡおよびＡＦ  ２Ｂの追加的使用を必要とせず、従ってフロントエンドレシーバ２ＡおよびＡＦ  ２Ｂによって消費される電力を増加させることなく、スタンバイモードの間ずっとセル評価が行われ続けてもよい。
【００１８】
ページングメッセージの検出が完了すると、ある「ウエイクアップ」とその次の「ウエイクアップ」の間の期間中は、サポートすべき通信セッションは存在しない。従って、図３Ａの第１の制御ユニット１０は、これらの期間中は、（１）抽出ユニット５および６の各々が評価ユニット９のそれぞれのユニットに結合されるようにスイッチユニット（交換装置）７を制御し、そして、（２）抽出ユニット５および６の両方を用いてセル評価をサポートすることができる。従って、セル評価が、同時に相互に進行し、それによってセル評価を行うのに要する時間が削減される可能性がある。一部の実施形態において、第１の制御ユニット１０は、留まっているセルについてのページングメッセージを検出している間に入手した隣接リスト情報に基づいて、セル評価を制御する。一部の実施形態において、第１の制御ユニット１０は、第１の制御ユニット１０の中に記憶された履歴情報から導出された隣接セルについての情報に基づいて、セル評価を制御する。図３Ｂは、図３Ａの端末装置の簡易版を図式的に提供する。そこに示すように、抽出ユニット５および６は、混合器３２および３４と、ＢＷＢを有する対応するローパスフィルタ３３と、ＢＷＡを有する対応するローパスフィルタ３５とを含む。これらの要素は、信号が交換装置を介して検出ユニット８および評価ユニット９へ送信される前に、デジタル領域でｆＡおよびｆＢのチューニングを可能にするように構成される。
【００１９】
場合によっては、非常に強力な隣接チャネル干渉源が、フロントエンドレシーバ２Ａの帯域幅全体の使用を事実上妨げることがある。所望の周波数または帯域幅の近くに強力な干渉源がある場合、力関係の問題を回避する目的で、その干渉源のかなりな部分をＡＤＣ４の上流でフィルタで除去する必要があることがある。図４は、干渉を最小化しうる端末を図式的に図解する。図４の端末は、図１Ａ、１Ｂ、３Ａ、３Ｂの端末と同様であるが、ＡＦ  ２Ｂをフロントエンドレシーバ２Ａの帯域幅全体のＢＷ０機能と比較して調整する機能を含む。例えば、フロントエンドレシーバ２Ａが２０ＭＨｚの帯域幅機能を有するような一部の実施形態において、ＡＦ  ２Ｂは、１．２５ＭＨｚから２０ＭＨｚまで調節可能である。
【００２０】
図４では、第２の制御ユニット４１が、第１の制御ユニット１０の出力４３から、例えば上記のｆＡ上のセッションのような、進行中の通信セッションの信号品質を示す、従来から利用可能な情報を受信する。一部の実施形態において、この信号品質情報は、システム内のＣＱＩ（ｃｈａｎｎｅｌ  ｑｕａｌｉｔｙ  ｉｎｄｅｘ：チャネル品質指標）パイロットから入手される。第２の制御ユニット４１は、信号品質情報を連続的に監視して、フロントエンドレシーバ２ＡおよびＡＦ  ２Ｂに制御情報３Ａおよび３Ｂをそれぞれ提供する。受信信号の中心周波数は、制御情報３Ａを介してフロントエンドレシーバ２Ａで調節され、ＡＦ  ２Ｂのアナログ選択フィルタは、制御情報３Ｂに応じて調節され、それによって帯域幅のサイズが調節される。一部の実施形態では、受信機のキャリア周波数ｆ０と帯域幅とが、当初ｆＡおよびＢＷＡにそれぞれ設定される。次いで、信号品質情報の監視を続けながら、受信機の帯域幅を次第に増加させる。この段階的な増加は、受信機の帯域幅がその最大利用可能帯域幅に達するかまたは信号品質が最小受容可能品質閾値に達するかのいずれか一方に達するまで続く。一部の実施形態では、閾値は、帯域幅の調節プロセスが開始されたときの品質の尺度の状態の一定割合である。
【００２１】
一部の実施形態では、フロントエンドレシーバ２Ａの帯域幅の調節は、周期的に行われる。一部の実施形態では、そのような調節は、チャネル品質が急に変化する度に行われる。一部の実施形態では、そのような調節は、端末がハンドオーバを実行する度に行われる。
【００２２】
図５Ａは、図４に関して上述した複数の見込み帯域幅調節動作のうちの１つを図解する。当初、５１では、受信機の帯域幅ＢＷＲＸは、ＢＷＡに等しいように設定される。調節をトリガするイベントが５２で発生すると、受信機の帯域幅ＢＷＲＸが５３で増加する。５２および５３での動作は、受信機の帯域幅ＢＷＲＸが５４でその最大利用可能帯域幅、ここではＢＷ０、に達するかまたは信号品質が５５で最小受容可能品質閾値ＴＨに達するまで繰り返される。
【００２３】
一部の実施形態では、制御情報３Ａが、強力な干渉が存在していても受信機の帯域幅全体の機能の使用を可能にすることを目的として、フロントエンドレシーバ２Ａにそのキャリア周波数ｆ０を調節するように指示する。図２を参照すると、このキャリア周波数調節には、帯域幅ＢＷ０をキャリア周波数ｆＡに比較してシフトするという効果がある。場合によっては、帯域幅ＢＷ０を、問題の干渉を除去するのに十分なほどキャリア周波数ｆＡに対してシフトすることができる。
【００２４】
図５Ｂは、複数の無線通信システムにおいて動作する方法を図解するフローチャートである。ステップ５０１に示すように、周波数のシグナリングが、第１のキャリア周波数を含む第１の周波数帯域幅の全体にわたって受信される。ステップ５０２では、受信ステップで生成されたアナログ信号が、第１の周波数帯域幅に対応する第１のデジタル信号へ変換される。ステップ５０３では、二次的な周波数帯域幅の範囲内にある二次的なデジタル信号が、第１のデジタル信号から抽出され、その二次的なデジタル信号は、第１の周波数帯域幅と等しいかまたはその範囲内にあり、かつ、二次的なキャリア周波数を含む。二次的な周波数帯域幅および二次的なキャリア周波数は、複数の無線通信システムのうちの第１のシステムにおける通信に関連する。ステップ５０４では、これもまた第１の周波数帯域幅と等しいかまたはその範囲内にあり、かつまたキャリア周波数を含む１つの周波数帯域幅に対応する少なくとも１つの追加的な二次的デジタル信号が、第１のデジタル信号から抽出される。その少なくとも１つの追加的な二次的周波数帯域幅およびそれに対応するキャリア周波数は、二次的デジタル信号を用いるのと同じかまたはそれとは異なる通信システムにおける通信に関連する。前述の方法はさらに、二次的なデジタル信号と前記記憶された第１のデジタル信号からの前記少なくとも１つの追加的な二次的デジタル信号とを抽出するステップが、受信ステップの完了後に生じるように、第１のデジタル信号を記憶することを含んでもよい。加えて、受信ステップはさらに、二次的なキャリア周波数のうちの１つに関連する通信品質に基づいて、第１の帯域幅と第１のキャリア周波数とのうちの１つを調節することを含んでもよい。例えば、受信ステップは、第１の帯域幅または第１のキャリア周波数を、ニ次的なキャリア周波数のうちの１つに関連する通信品質に基づいて調節することを含んでもよい。さらに、図５Ｂに図解される方法は、調節するステップを周期的に生じる時点で実行するかまたはハンドオーバが行われる度に実行することを含んでもよい。
【００２５】
図６は、本発明の別の実施形態による端末を図式的に図解する図である。図６の端末は、図１Ａ、１Ｂ、３Ａ、３Ｂ、および４の端末と同様であるが、図３Ａに関して上述したデジタル記憶／再生機能と、図４に関して上述したフロントエンドレシーバ調節機能とを両方含む。
【００２６】
本発明の複数の実施形態について上記で詳述してきたが、これは本発明の範囲を限定するのではなく、本発明の範囲は、多様な実施形態として実施されうる。
【図面の簡単な説明】
【００２７】
【図１Ａ】本発明の実施形態による端末装置を図式的に図解した図である。
【図１Ｂ】図１Ａの端末装置の別の態様を図式的に図解した図である。
【図２】本発明の実施形態によってアクセスされうる周波数スペクトルの関連部分の一例を図式的に図解した図である。
【図３Ａ】本発明の別の実施形態による端末装置を図式的に図解する図である。
【図３Ｂ】図３Ａの端末装置の簡易版を図式的に図解する図である。
【図４】本発明の別の実施形態による端末装置を図式的に図解する図である。
【図５Ａ】本発明によって行われた一組の動作を図解するフローチャートである。
【図５Ｂ】本発明の方法を図解するフローチャートである。
【図６】本発明の別の実施形態による端末装置を図式的に図解する図である。
【図１Ａ】
2009532962.tif 000003
【図１Ｂ】
2009532962.tif 000004
【図２】
2009532962.tif 000005
【図３Ａ】
2009532962.tif 000006
【図３Ｂ】
2009532962.tif 000007
【図４】
2009532962.tif 000008
【図５Ａ】
2009532962.tif 000009
【図５Ｂ】
2009532962.tif 000010
【図６】
2009532962.tif 000011
【手続補正書】
【提出日】平成20年2月1日(2008.2.1)
【手続補正１】
【補正対象書類名】特許請求の範囲
【補正対象項目名】請求項１５
【補正方法】変更
【補正の内容】
【請求項１５】
複数の無線通信システムにおいて動作する通信装置であって、
フロントエンドレシーバ及びアナログフィルタ（ＡＦ）であって、該フロントエンドレシーバが同調することになる第１の搬送波周波数を含む第１の周波数帯域幅の全体にわたって周波数信号を受信するフロントエンドレシーバ及びアナログフィルタ（ＡＦ）と、
前記フロントエンドレシーバに結合され、前記フロントエンドレシーバ及び前記アナログフィルタによって生成されたアナログ信号を第１の周波数帯域幅の第１のデジタル信号に変換するアナログデジタル変換器（ＡＤＣ）と、
前記アナログデジタル変換器に結合され、第２の搬送波周波数を含むとともに前記第１の周波数帯域幅と同一かまたはそれよりも狭い第２の周波数帯域幅に対応した第２のデジタル信号を前記第１のデジタル信号から抽出する第１の抽出ユニットと、
前記アナログデジタル変換器に結合され、前記第１の抽出ユニットが前記第２のデジタル信号を抽出するのと並行して、第３の搬送波周波数を含むとともに前記第１の周波数帯域幅と同一かまたはそれよりも狭い第３の周波数帯域幅に対応した第３のデジタル信号を前記第１のデジタル信号から抽出する第２の抽出ユニットと
前記第１、第２の抽出ユニットに結合され、抽出された前記第２、第３のデジタル信号を評価して検出する複数の評価及び検出ユニットと、
前記複数の評価及び検出ユニットから受信した複数の信号に基づいて、前記第１、第２の抽出ユニットにおける中心周波数と帯域幅とを調整する制御ユニットと
を備え、
前記第２の周波数帯域幅及び前記第２の搬送波周波数は、前記複数の無線通信システムのうちの１つの無線通信システムにおける通信に関連付けられおり、前記第３の周波数帯域幅及び前記第３の搬送波周波数は、前記複数の無線通信システムのうちの１つの無線通信システムにおける通信に関連付けられていることを特徴とする通信装置。
【手続補正２】
【補正対象書類名】特許請求の範囲
【補正対象項目名】請求項２２
【補正方法】変更
【補正の内容】
【請求項２２】
複数の無線通信システムにおいて実行される方法であって、
第１の搬送波周波数を含む第１の周波数帯域幅の全体にわたって周波数信号を受信する受信ステップと、
前記受信ステップにおいて生成されたアナログ信号を、第１の周波数帯域幅に対応した第１のデジタル信号に変換する変換ステップと、
第２の搬送波周波数を含むとともに前記第１の周波数帯域幅と同一かまたはそれよりも狭い第２の周波数帯域幅に対応した第２のデジタル信号を、前記第１のデジタル信号から抽出する抽出ステップと、
前記抽出ステップと並行して、搬送波周波数を含むとともに前記第１の周波数帯域幅と同一かまたはそれよりも狭い周波数帯域幅に対応した少なくとも１つの他の第２のデジタル信号を前記第１のデジタル信号から抽出するステップと、
抽出された複数のデジタル信号を、複数の抽出ユニットに結合された複数の評価及び検出ユニットを使用して、評価し検出するステップと、
前記複数の評価及び検出ユニットから受信した複数の信号に基づいて、前記複数の抽出ユニットにおける中心周波数と帯域幅とを調整するステップと
を備え、
前記第２の周波数帯域幅及び前記第２の搬送波周波数は、前記複数の無線通信システムのうちの第１の無線通信システムに関連付けられおり、
前記第１の周波数帯域幅と同一かまたはそれよりも狭い周波数帯域幅及びそれ対応した前記搬送波周波数は、前記第２のデジタル信号を使用している無線通信システムと類似または異なる無線通信システムにおける通信に関連付けられていることを特徴とする方法。
【手続補正３】
【補正対象書類名】特許請求の範囲
【補正対象項目名】請求項２７
【補正方法】変更
【補正の内容】
【請求項２７】
複数の無線通信システムにおいて実行される方法であって、
第１の搬送波周波数を含む第１の周波数帯域幅の全体にわたって周波数信号を受信する受信ステップと、
前記受信ステップにおいて生成されたアナログ信号を、第１の周波数帯域幅に対応した第１のデジタル信号に変換する変換ステップと、
第２の搬送波周波数を含むとともに前記第１の周波数帯域幅内にある第２の周波数帯域幅に対応した第２のデジタル信号を、前記第１のデジタル信号から抽出する抽出ステップと、
前記抽出ステップと並行して、第３の搬送波周波数を含むとともに前記第１の周波数帯域幅内にある第３の周波数帯域幅に対応した第３のデジタル信号を前記第１のデジタル信号から抽出するステップと、
抽出された複数のデジタル信号を評価して検出するステップと、
前記評価して検出された複数の信号に基づいて、受信した前記周波数信号の中心周波数と帯域幅とを調整するステップと
を備え、
前記第２の周波数帯域幅及び前記第２の搬送波周波数は、前記複数の無線通信システムのうちの１つの無線通信システムにおける通信に関連付けられおり、前記第３の周波数帯域幅及び前記第３の搬送波周波数は、前記複数の無線通信システムのうちの他の１つの無線通信システムにおける通信に関連付けられている
ことを特徴とする方法。
【国際調査報告】
2009532962.tif 000012
2009532962.tif 000013
2009532962.tif 000014